(57)【要約】【課題】  この発明は、コインを上方にも下方にも払い出し可能な払い出し機能を持たせることにより、所望の払い出し位置にコインを払い出すことができる。このため、コイン払い出し性能の向上および遊技操作性の向上を図ることができる。【解決手段】  この発明は、多数枚のコインを貯留するホッパーの内部より該ホッパーの上方に延びる起立筒体を立設し、この起立筒体の内部空間を通して前記ホッパーに貯留されているコインを螺旋回転体の回転動作により上方に搬送して、該起立筒体の上部からコインを１枚ずつ外方に払い出す。【選択図】  図１４
2005319008.tif 000002
【特許請求の範囲】
【請求項１】
多数枚のコインを貯留するホッパーの内部より該ホッパーの上方に延びる起立筒体を立設し、この起立筒体の内部空間を通して前記ホッパーに貯留されているコインを上方に搬送して、該起立筒体の上部からコインを１枚ずつ外方に払い出すコイン払出方法。
【請求項２】
多数枚のコインを貯留するホッパーと、
前記ホッパーの内部空間に底部より立設させた起立筒体と、
前記起立筒体に内蔵され、該起立筒体の上下方向に軸支された回転軸の全長に沿って螺旋状に巻回した螺旋円板によりコインの螺旋送り空間を形成した螺旋回転体と、
前記螺旋送り空間に導かれたコインを押し上げる方向に前記螺旋回転体を回転させる駆動機構と、
前記ホッパーに貯留されているコインを前記起立筒体の下部より、その内方の螺旋送り空間に１枚ずつ供給させるコイン供給機構と、
前記螺旋回転体の上部に搬送されたコインを１枚ずつ外方に払い出すコイン払出機構と、
を備えたコイン縦送り機構。
【請求項３】
多数枚のコインを貯留するホッパーと、
前記ホッパーの下部に回転自由に配設され、前記ホッパーに貯留されているコインを自重により降下させて受け入れるコイン受入口を上面に有し、このコイン受入口に連通する下方のベースとの上下の対向面間にコイン１枚分の平面的な環状の通路空間を有する環状通路および該環状通路からコインを内周面側に供給するための内周面供給口を有する回転ディスクと、
前記回転ディスクの中心部より筒状に立設し、内周面の縦方向にはコイン縦送り用の回り止め部を有し、上部にはコインを外方に払い出すための上開口部を有し、下部には前記回転ディスクの内周面供給口に接続対応したときコインを受け入れる下開口部を有する起立筒体と、
前記起立筒体に内蔵され、該起立筒体の上下方向に軸支された回転軸の全長に沿って螺旋状に巻回した螺旋円板によりコインの螺旋送り空間を形成した螺旋回転体と、
前記回転ディスクおよび前記螺旋回転体を回転させる駆動機構と、
前記駆動機構を駆動させて前記回転ディスクを回転させることにより前記環状通路に導かれたコインを平面状態のまま回転移動させて該コインを前記起立筒体の下開口部へと供給させるコイン供給機構と、
前記駆動機構を駆動させて前記螺旋回転体を回転させることにより該螺旋回転体の上部に搬送されたコインを、前記起立筒体の上開口部より１枚ずつ外方に払い出すコイン払出機構と、
前記コイン払出機構より払い出されたコインの払い出し枚数を計数する計数手段と、
を備えたコイン払出装置。
【請求項４】
駆動機構は、回転ディスクの駆動と螺旋回転体の駆動とを１つの共通するモータを駆動源に用いて構成した請求項３記載のコイン払出装置。
【請求項５】
環状通路からコインを１枚ずつ外周面側に払い出すための外周面払出口を該環状通路の外周面に有し、モータを正転させたときは環状通路に導かれたコインを環状通路の内周面供給口から起立筒体の下開口部を介して螺旋送り空間へと供給し、モータを逆転させたときは環状通路に導かれたコインを前記外周面払出口から外方に払い出すコイン払出機構を備えた請求項３または４記載のコイン払出装置。
【請求項６】
起立筒体の上開口部に対応する上部から払い出されたコインを受け入れる上皿と、回転ディスクの外周面払出口に対応する下部から払い出されたコインを受け入れる下皿とを遊技機の前面に有し、前記各々の皿にはコインが満杯になったことを検知する満杯検知手段を備えた遊技機のコイン払出装置において、
前記満杯検知手段の検知情報に基づいて上皿へのコインの払い出しの可否を判定する判定手段と、
前記判定手段が払い出し不可と判定したとき、回転ディスクの回転方向を切り換えて、前記上部からのコインの払い出しを停止し、下部からのコインの払い出しを許容する制御手段と、
を備えた請求項３〜５記載のコイン払出装置。
【請求項７】
請求項３〜６記載のいずれかのコイン払出装置を備えた遊技機。
【発明の詳細な説明】
【技術分野】
【０００１】
この発明は、例えばスロットマシンに使用されるメダル類あるいは流通硬貨などのコインを１枚ずつ払い出すようなコイン払出方法に関し、さらに詳しくはコインの払出構造および払出性能を高めたコイン払出方法、コイン縦送り機構、コイン払出装置および遊技機に関する。
【背景技術】
【０００２】
従来、コインの払い出しに際しては、多数枚のメダル(以下コインと称す)を貯留するホッパーを設け、このホッパーに内蔵されているコインをコイン１枚出し用の回転ディスク(フィーダ円盤)により１枚ずつ分離して例えば、特許文献１に開示されるような円板体の揚送装置に導き、これよりスロットマシンの前面に備えられている上皿までコインを搬送して払い出している。
【０００３】
前記円板体の揚送装置をコインの払い出しに利用した場合は、縦向きに設置された帯板状のダクトを利用して揚送させることにより上部の上皿へと払い出すことができる。この上皿へと払い出されたコインは、コイン投入口の近くになるため、この上皿からコイン投入口へのコインの投入操作が容易になり、また視認し易くなるので遊技操作性が向上する利点がある。
【０００４】
しかしながら、スロットマシンの前面に上皿を備えた場合は、スロットマシンの前面に突出する上皿の配置スペースに制約を受けて上皿を大きくとれず、このために上皿のコイン収納容量は小容量になり、上皿に収納しきれないコインをドル箱などの別の容器に移し替える必要が生じていた。また、上皿から別の容器に移し替えた場合は、この上皿に収納されているコインがなくなれば、再び別の容器からコインを上皿へと補給する必要が生じてコインの出し入れ負担が増大する。
【０００５】
これに対し、特許文献２に開示されるようなコイン送り出し装置をコインの払い出しに利用した場合は、ホッパーに内蔵されているコインを斜め下方に送り出してスロットマシンの前面に備えられている下皿へと払い出すことができる。この下皿へとコインを払い出すように構成した場合は、コインの払い出し構造を簡単に構築することができる利点がある。
【０００６】
しかし、下皿だけでは上述した上皿の利点が得られず、遊技者が下皿からコインを持ち上げて上部のコイン投入口に投入操作する必要があり、長時間の遊技操作になると遊技者の操作負担が大きくなり、快適な遊技を維持できなくなる。
【０００７】
このように上皿か下皿かの一方の皿しかスロットマシンの前面にはなく、このスロットマシンの前面に、例えば上皿と下皿との双方の皿を併設することも考えられるが、この場合は上皿のコイン収納容量が小さく、また上皿か下皿かにコインを払い出す構成になるため、上皿にコインを払い出すように構成した場合は上皿でのコインが溢れやすくなり、下皿にコインを払い出すように構成した場合はコイン投入口へのコインの持ち上げ操作が改善されないままであり、またコインが払い出されない上皿は空になりやすくなる。この結果、上皿と下皿を併設するだけでは両皿の機能を十分に有効利用できないのが現状である。
【０００８】
【特許文献１】特開平９−３０５８１７号
【特許文献２】特開２００１−１８８９３１号
【発明の開示】
【発明が解決しようとする課題】
【０００９】
そこでこの発明は、コインを上方にも下方にも払い出し可能な払い出し機能を持たせることにより、コイン払い出し性能の向上および遊技操作性の向上を図ることができるコイン払出方法、コイン縦送り機構、コイン払出装置および遊技機を提供することを目的とする。
【課題を解決するための手段】
【００１０】
この発明は、多数枚のコインを貯留するホッパーの内部より該ホッパーの上方に延びる起立筒体を立設し、この起立筒体の内部空間を通して前記ホッパーに貯留されているコインを上方に搬送して、該起立筒体の上部からコインを１枚ずつ外方に払い出すコイン払出方法であることを特徴とする。
【００１１】
この発明によると、ホッパーに貯留されているコインを１枚ずつ上部から外方に払い出す場合は、ホッパーの内部から起立する起立筒体を通してコインを上部から１枚ずつ外方へと払い出すことができる。この場合、起立筒体をホッパーの内部から起立させることによって、ホッパーの内部空間を縦型のコインの払い出し通路に有効利用することができる。このため、ホッパーは本来のコイン貯留機能だけでなくコインを払い出すための通路機能をホッパー内に組み込んでコイン払い出し構造をコンパクトに構築できる。
【００１２】
さらに、起立筒体の下部から上部へのコインの搬送に際しては、例えば起立筒体に内蔵した螺旋回転体を回転させてコインを１枚ずつ上部へと縦送りしてもよく、押し出し式の縦型の通路を形成してコインを１枚ずつ縦送りするように構成してもよい。
【００１３】
この発明の別の構成では、多数枚のコインを貯留するホッパーと、前記ホッパーの内部空間に底部より立設させた起立筒体と、前記起立筒体に内蔵され、該起立筒体の上下方向に軸支された回転軸の全長に沿って螺旋状に巻回した螺旋円板によりコインの螺旋送り空間を形成した螺旋回転体と、前記螺旋送り空間に導かれたコインを押し上げる方向に前記螺旋回転体を回転させる駆動機構と、前記ホッパーに貯留されているコインを前記起立筒体の下部より、その内方の螺旋送り空間に１枚ずつ供給させるコイン供給機構と、前記螺旋回転体の上部に搬送されたコインを１枚ずつ外方に払い出すコイン払出機構とを備えたコイン縦送り機構を構成することができる。
【００１４】
前記螺旋回転体とは、螺旋状に巻回した螺旋円板によって縦方向に螺旋送り空間を形成し、この螺旋送り空間にコインを介在させてコインを縦送りするものであり、ここに介在したコインを該螺旋回転体の回転により起立筒体の下部から上部へと搬送するものである。具体的には、コインの下面に接触する螺旋円板の回転接触位置が回転に伴って高位置になることによる押し上げ作用を受けてコインは垂直に搬送される。このとき、コインは螺旋回転体の１回転毎に螺旋送り空間の高さ分だけ縦送りされ、この螺旋回転体の回転を連続的に繰り返せば、コインは下部から上部へと自然に押し上げることができる。
【００１５】
この発明によると、ホッパーに貯留されているコインを払い出す際は、ホッパー内のコインがコイン供給機構を介して起立筒体に供給され、起立筒体からはコイン払出機構を介して外方に払い出すことができる。また、起立筒体の内部では螺旋回転体を回転させるだけで、コインを起立筒体の下部から上部へと連続的に縦送りすることができる。さらに、起立筒体をホッパーの内部に配設しているため、ホッパーの外部に縦送り通路の配設スペースを要しなくなる。
【００１６】
この発明の別の構成では、多数枚のコインを貯留するホッパーと、前記ホッパーの下部に回転自由に配設され、前記ホッパーに貯留されているコインを自重により降下させて受け入れるコイン受入口を上面に有し、このコイン受入口に連通する下方のベースとの上下の対向面間にコイン１枚分の平面的な環状の通路空間を有する環状通路および該環状通路からコインを内周面側に供給するための内周面供給口を有する回転ディスクと、前記回転ディスクの中心部より筒状に立設し、内周面の縦方向にはコイン縦送り用の回り止め部を有し、上部にはコインを外方に払い出すための上開口部を有し、下部には前記回転ディスクの内周面供給口に接続対応したときコインを受け入れる下開口部を有する起立筒体と、前記起立筒体に内蔵され、該起立筒体の上下方向に軸支された回転軸の全長に沿って螺旋状に巻回した螺旋円板によりコインの螺旋送り空間を形成した螺旋回転体と、前記回転ディスクおよび前記螺旋回転体を回転させる駆動機構と、前記駆動機構を駆動させて前記回転ディスクを回転させることにより前記環状通路に導かれたコインを平面状態のまま回転移動させて該コインを前記起立筒体の下開口部へと供給させるコイン供給機構と、前記駆動機構を駆動させて前記螺旋回転体を回転させることにより該螺旋回転体の上部に搬送されたコインを、前記起立筒体の上開口部より１枚ずつ外方に払い出すコイン払出機構と、前記コイン払出機構より払い出されたコインの払い出し枚数を計数する計数手段とを備えたコイン払出装置を構成することができる。
【００１７】
前記回転ディスクの環状通路は平面的な通路空間であるため該環状通路にコインが導かれたとき、コインの表裏両面が回転ディスクの下面とベースの上面とでガイドされ、またコインの両幅が環状通路の内周面と外周面とでそれぞれガイドされてコインは１枚ずつ確実に環状方向に移送される。
【００１８】
この環状通路からは１枚ずつ起立筒体の下開口部を介して螺旋送り空間へと供給される。このとき、供給されるコインは平面的な環状通路を通って平面状態のまま供給されるため、コインの面方向を変えず、同じ平面姿勢のままで供給される。このため、コインの向きを終始変えずに円滑に受け渡すことができるので搬送負荷が少なく、コインを受け渡すつなぎ目部分でのコイン詰りの恐れがない信頼性の高い安定した供給性能が得られる。
【００１９】
この発明によると、コインを払い出した場合、その払い出したコインの枚数を計数手段により計数できるため、上部より払い出したコインの払い出し枚数を計数管理することができる。
【００２０】
従って、コインを払い出した枚数に応じて、その後のコインの払い出し枚数を調整することができる。例えば、上部でのコイン収納枚数が収納限度を超える場合は、コインの払い出し枚数を制限することができる。この場合も、ホッパー内の限られた縦方向の小スペースを有効利用してコインを垂直に搬送することができ、無駄のないコンパクトな通路を構築できる。
【００２１】
この発明の別の構成では、回転ディスクの駆動と螺旋回転体の駆動とを１つの共通するモータを駆動源に用いて駆動機構を構成することができる。
【００２２】
この発明によると、コインをホッパーから外方に払い出し動作するための回転ディスクと螺旋回転体との双方を、共通する１つのモータを駆動源に有効利用することができる。従って、モータの共用化に従ってモータ数を削減でき、これに基づいてコイン払い出し構造が簡単になり、コイン払出装置を簡素化して低コストに製作することができる。
【００２３】
この発明の別の構成では、環状通路からコインを１枚ずつ外周面側に払い出すための外周面払出口を該環状通路の外周面に有し、モータを正転させたときは環状通路に導かれたコインを環状通路の内周面供給口から起立筒体の下開口部を介して螺旋送り空間へと供給し、モータを逆転させたときは環状通路に導かれたコインを前記外周面払出口から起立筒体を通さずに外方に払い出すコイン払出機構を備えたコイン払出装置を構成することができる。
【００２４】
この発明によると、モータの回転方向を正転と逆転とのいずれかに切り換えれば、コインの払い出し方向を上部か下部かのいずれかの払い出し方向に切り換えることができる。従って、上部と下部との双方の払い出し位置を自由に選択してコインを払い出すことができる。
【００２５】
前記モータの回転方向を正転と逆転とに切り換えることによって、コインを上部からの払い出し動作と下部からの払い出し動作を実行する場合を述べたが、モータの回転方向はこれに限らず、モータ正転時の動作とモータ逆転時の動作を逆向きにして構築しても同様に達成できる。
【００２６】
この発明の別の構成では、起立筒体の上開口部に対応する上部から払い出されたコインを受け入れる上皿と、回転ディスクの外周面払出口に対応する下部から払い出されたコインを受け入れる下皿とを遊技機の前面に有し、前記各々の皿にはコインが満杯になったことを検知する満杯検知手段を備えた遊技機のコイン払出装置において、前記満杯検知手段の検知情報に基づいて上皿へのコインの払い出しの可否を判定する判定手段と、前記判定手段が払い出し不可と判定したとき、回転ディスクの回転方向を切り換えて、前記上部からのコインの払い出しを停止し、下部からのコインの払い出しを許容する制御手段とを備えたコイン払出装置であることを特徴とする。
【００２７】
また、前記満杯検知手段に基づいて下皿へのコインの払い出しの可否を判定する判定手段と、前記判定手段が払い出し不可と判定したとき、回転ディスクの回転方向を切り換えて、下部からのコインの払い出しを停止し、上部からのコインの払い出しを許容する制御手段とを備えたコイン払出装置であることも含む。また、前記満杯検知手段はコイン払出装置に取り付けてもよく、遊技機等の他の部材に取り付けてもよい。
【００２８】
この発明によると、コインを払い出す位置は１ヶ所ではなく、上皿と下皿とのいずれかに切り換えてコインを払い出すことができ、払い出しに適した上皿または下皿を定めてコインを払い出すことができる。
【００２９】
例えば、コイン収納容量が小さい上皿とコイン収納容量が大きい下皿とを備えている装置に適用した場合に、常時上皿にコインを払い出すようにしておいて、この上皿に払い出したコインの払い出し枚数が上皿への収納限度枚数(満杯)に至ったことを満杯検知手段が検知すれば、回転ディスクをそれまでの回転方向とは逆方向の回転方向に切り換えて、上皿への払い出しを停止し、下皿への払い出しに切り換える。
【００３０】
従って、上皿のコイン収納枚数が少ない場合はコインを受け入れ可能なため上皿にコインを払い出させる。そして、上皿が一杯になれば、払い出し方向を切り換えて下皿にコインを払い出させて、上皿のコイン貯留量を適切に維持管理することができる。このため、例えば上皿と下皿を備えた遊技機であれば、快適な遊技条件を提供することができる。
【００３１】
このようなコイン払出装置を遊技機に内蔵する場合は、遊技機のホッパー内に、該コイン払出装置をコンパクトに組込むことができる。例えば、スロットマシンの前面に上皿と下皿とを併設した場合に、コイン払出装置からコインを上皿に優先的に払い出すように設定すれば、コインを下皿から上皿へと移し替える操作が不要になる。また、コイン投入口に上皿が近いため、上皿からコイン投入口へのコインの投入操作が容易になる。
【発明の効果】
【００３２】
この発明によれば、ホッパーに貯留されているコインを１枚ずつ押し上げるための起立筒体をホッパーの内部空間に備えているため、コイン払出装置をホッパーにコンパクトに組込むことができ、しかもコインを１枚ずつ確実に払い出せる信頼性の高い払い出し性能が得られる。
【実施例】
【００３３】
この発明の一実施例を以下図面に基づいて説明する。  
図面は遊技ホールに設置されるスロットマシンのコイン払出装置を示し、図１において、このスロットマシン１１は接客面としての前面上部にパネル１２とリール部１３を有し、前面中央の幅方向に３個の並列する操作スイッチ１４を有し、その左側に駆動レバー１５と、掛け数設定ボタン１６と、返却ボタン１７を、右側にコイン(メダル)Ｃを１枚ずつ投入するための投入口１８とを有し、これらの直ぐ下側の幅方向に上皿１９およびこれに連通する払出口２０を有し、前面下部の幅方向に灰皿２１と、下皿２２およびこれに連通する返却口２３を有している。
【００３４】
そして、遊技者がスロットマシン１１を遊技利用するときに、前記投入口１８にコインＣが１枚ずつ投入される。投入されたコインＣは内部で選別され、有効と選別された正規のコインＣは内部に取込まれ、無効と選別された不適なコイン類は返却口２３にから下皿２２へと返却させる選別機能を有している。また、遊技者が遊技を中止するために返却ボタン１７を押下操作した場合もコインＣは返却口２３から下皿２２へと返却される。
【００３５】
図２はスロットマシン１１の前面扉１１ａをスロットマシン本体１１ｂより片開き式に開口した内部構造を示し、この開口されたスロットマシン本体１１ｂ側には、外周面の絵柄の位置を回転・停止させて遊技利用を行う例えば３列のリール２４を上部に設置し、下部中央にコインの取込み、および払い出し用のコイン払出装置２５を設置し、その左側に電源装置２６を設置し、右側にオーバフロータンク２７を設置している。
【００３６】
一方、前面扉１１ａ側には、内面上部より下部にかけてリールカバー２８と、コインの適否を選別するコイン選別装置２９と、コイン返却通路３０と、返却口２３とをこの順に有している。
【００３７】
次に、コイン払出装置２５について説明する。  
このコイン払出装置２５は、図３〜図５に示すように、ホッパー３１内に起立筒体３２と回転ディスク３３とベース３４とを組込んで構成される。
【００３８】
前記ホッパー３１は上面を開放した箱形状を有し、この内部空間に多数枚のコインＣを貯留して、払い出し待機させている。このホッパー３１でのコイン貯留枚数が収納限界枚数を超えて余剰コインが生じると、図示しないオーバフロー通路を通して前記オーバフロータンク２７に移送して収納される。
【００３９】
前記ホッパー３１は箱形の内部空間の左右を仕切板３５によりコイン貯留側とモータ設置側とに仕切り、このうちコイン貯留側の四方の周囲側壁には、平板を斜め下向きに突出させたコイン負荷低減板３６を備えている。これにより、貯留されている多数枚のコインの重さを側方から補助的に支えて、ホッパー３１の底部で回転する回転ディスク３３に対するコインの荷重負荷を低減している。また、コイン貯留側の前面側壁にはコインを1枚ずつ水平に払い出させる下払出口３７を開口し、この下払出口３７をスロットマシン１１前面の下皿２２に通じる前記返却口２３に接続している。
【００４０】
前記モータ設置側には、モータＭを縦型に介在させてホッパー３１内にモータＭおよびその駆動部材を内蔵して構成している。そして、このモータＭの出力に連動させて後述する回転ディスクと螺旋回転体とを回転駆動するものである。
【００４１】
前記ベース３４は、図６に示すように、主ベースとしての下プレート３８の上面に、サブベースとしての上プレート３９と、駆動機構４０とを搭載して構成される。
【００４２】
このうち、下プレート３８はホッパー３１の底板に兼用して設けられ、ホッパー３１の底面開口部に対応する大きさの長方形の凹形状プレートであり、その外周囲をホッパー３１の底面開口部の側壁に固定して、該下プレート３８をホッパー３１に一体に取付けている。
【００４３】
この下プレート３８のコイン貯留側の上面には、後述するギアの介在スペースを隔てて上プレート３９が搭載され、モータ設置側の下プレート３８の上面には、後述するギアの介在スペースを隔ててモータ搭載台４１が搭載される。
【００４４】
さらに、上プレート３９は中央部に大きな円形開口部４２を有する正方形の逆凹形状プレートであり、この円形開口部４２の内方に後述する回転ディスク３３と起立筒体３２の下部が挿通される。
【００４５】
一方、モータ搭載台４１は凸型状を有し、この上面に搭載したモータＭを前記駆動機構４０の駆動源に設けて、モータ搭載台４１の下方に突出する図示しない駆動ギアに、複数の従動ギア４３ａを順に噛合させて減速回転させ、その１つを後述する回転ディスク３３のディスクギア３３ａに噛合させて動力伝達している。これにより、モータＭの正逆転に基づいて回転ディスク３３は正逆転自由に回転される。同様に、前記複数の従動ギア４３ａの１つを後述する螺旋回転体４４の回転体ギア６９に噛合させて動力伝達している。これにより、モータＭの回転に基づいて螺旋回転体４４は回転許容される。
【００４６】
図７に前記モータ設置側からコイン貯留側へと動力伝達するための複数の従動ギア４３ａの各ギア回転軸４５の配置関係を示す。さらに、上プレート３９の四隅を固定するために対応する下プレート３８の上面対応位置には各筒形状の螺着連結部４６を起立突設している。さらに、上プレート３９の円形開口部４２と対応する下プレート３８の上面対応位置には回転ディスク支持機構４７を配設している。
【００４７】
この回転ディスク支持機構４７は前記円形開口部４２の大きさに対応する中空環状体４８を、その上面を開放した状態に下プレート３８のコイン貯留側の上面に固定し、この中空環状体４８の周方向を４等分した位置に径方向に横貫するローラ窓４９をそれぞれ開口し、これらの各ローラ窓４９の外周面側から内周面側に向けて水平方向に回転する横揺れ防止ローラ５０を臨ませて、中空環状体４８の内周面に挿入される回転ディスク３３の小径部外周面を周囲から回転自由に支持して該回転ディスク３３の横揺れを防止する機能を持たせている。
【００４８】
さらに、中空環状体４８の内周面に沿う下プレート３８上には周方向を４等分した位置に垂直方向に回転する下面支持ローラ５１を設置して、中空環状体４８の内周面に挿入される回転ディスク３３の下面を回転自由に支持して、回転ディスク３３の上面にコインの荷重による負荷が掛かっても回転許容する安定した回転を確保して、回転ディスク３３の耐久性を高めている。
【００４９】
図８は回転ディスク３３を示し、この回転ディスク３３は大径部と小径部とを有する皿形の段付き中空円盤に形成され、大径部は軸方向を短く小径部は軸方向を少し長くして設けている。そして、小径部が前記円形開口部４２および中空環状体４８の内周面に挿入されて、該小径部の外周面が上述の横揺れ防止ローラ５０に支持され、また小径部の下面が上述の下面支持ローラ５１に支持されて、該回転ディスク３３は水平状態で回転自由に支持される。さらに、この回転ディスク３３は小径部の下部内周面にディスクギア３３ａを形成しており、このディスクギア３３ａに前述した従動ギア４３ａの１つが噛合して動力伝達される。このため、回転ディスク３３はモータＭの駆動力を受けてホッパー３１のコイン貯留側の下部で正逆転自由に回転する。
【００５０】
一方、大径部側の上面には、その周方向を４等分した位置にコイン１枚を降下させる円形のコイン受入口５２を縦貫して開口している。これらのコイン受入口５２を設けることにより、ホッパー３１の内部空間に貯留されているコインＣは自重により自然に降下して該ホッパー３１の底面に相当する回転ディスク３３の上面に到ると、その上面に開口するコイン受入口５２により１枚ずつ降下し、これによりコインＣは１枚ずつ分離して取り込まれ、その下方の後述する環状通路５３へと降下する。
【００５１】
前記回転ディスク３３の上面は、４個のコイン受入口５２を低位置に、その間を若干高位置にして、上面周方向を凹凸に弯曲形成した凹凸湾曲面３３ｂを有している。これにより、ホッパー３１に貯留されているコインＣが回転ディスク３３の上面に接したときに、低位置のコイン受入口５２へと入り易くなり、またコインの撹拌に適した凹凸湾曲面３３ｂによりホッパー３１内でのコインＣの降下動作を促進している。
【００５２】
上述の環状通路５３は上方の回転ディスク３３と、その下方の上プレート３９との上下の対向面間にコイン厚さ１枚分の平面的な環状の通路空間を形成したものであって、上プレート３９の上面に、環状通路５３の外周面を形成するための中央部を円形に大きく開口してなる環状ガイドプレート５４を重合させて搭載することにより、コイン厚さ１枚分の段付き環状の空間を形成し、この上面に回転ディスク３３を搭載することにより、上面側の回転ディスク３３と下面側の上プレート３９との対向面間に環状通路５３が形成される。これにより、この環状通路５３にコインＣを平面状態のまま１枚ずつ平面方向に回転させることができる。そして、この環状通路５３の上方には前記コイン受入口５２が連通してコインＣが平面状態のまま降下して１枚ずつ導かれる。
【００５３】
さらに、回転ディスク３３の小径部には、その周方向を４等分した位置に、コイン１枚分の水平に横貫した各内周面供給口５５を有している。これらの各内周面供給口５５は外周面側が環状通路５３に連通し、内周面側が後述する起立筒体３２側の下開口部７１に連通する。
【００５４】
さらに、回転ディスク３３の裏面には周方向を４等分した各コイン受入口５２に対応する位置に円弧形送り溝５６を形成している。この円弧形送り溝５６はコイン受入口５２より降下させて受け入れたコインＣを環状通路５３に導いたとき、該回転ディスク３３の裏面の円弧形送り溝５６内にコインＣを位置させる。そして、回転ディスク３３を正転または逆転させたとき、その回転方向によりコインＣを円弧形送り溝５６の円弧形に沿わせて送りガイドし、該回転ディスク３３の中心方向もしくは外周面方向へとコインＣを１枚ずつ送り出す。
【００５５】
前記円弧形送り溝５６は内周面側が回転ディスク３３の内周面供給口５５に連通し、外周面側は後述する外周面払出口５７と対応可能に開放して形成されている。
【００５６】
さらに、環状通路５３の下面側を形成する上プレート３９の上面には、コイン供給ガイド用としての第１ガイドピンＰ１と第２ガイドピンＰ２とを突出させている（図６参照）。
【００５７】
これらのガイドピンＰ１，Ｐ２の突出位置は、環状通路５３の通路幅方向の中間位置に第１ガイドピンＰ１を突出させ、この第１ガイドピンＰ１より中心寄りに第２ガイドピンＰ２を突出させている。
【００５８】
両ガイドピンＰ１，Ｐ２を設けることにより、環状通路５３に導かれたコインを環状方向から方向変換させる役目を有している。このため、回転ディスク３３の正転時には両ガイドピンＰ１，Ｐ２の位置でコインは移動方向が内周面側に方向変換されて送り動作され、回転ディスク３３の内周面供給口５５を通過して、後述する起立筒体３２へと供給される。
【００５９】
一方、回転ディスク３３の逆転時には両ガイドピンＰ１，Ｐ２の位置でコインは移動方向が外周面側に方向変換されて送り動作され、環状通路５３の外周面側の一部に開口する外周面払出口５７（図６参照）からコインは１枚ずつ外方に送り出され、ここに接続される返却口２３を介して下皿２２へと払い出される。
【００６０】
前記円弧形送り溝５６は、環状通路５３の上面より凹形状に対応してコインＣの送り幅方向をガイドする役目を有している。この場合、各ガイドピンＰ１，Ｐ２と回転ディスク３３の裏面との周方向の対向位置にはガイドピンＰ１，Ｐ２との衝突を回避するための割溝５６ａを形成して回転ディスク３３の回転に支障がないようにしている。
【００６１】
さらに、回転ディスク３３の上面に対しては、図９に示すように、回転ディスク３３の浮き防止機構５８を備えて安定した支持を図っている。この浮き防止機構５８はホッパー３１のコイン貯留側の内方下部に、回転ディスク３３の外周縁部に沿う大きさの環状フレーム５９を設け、該環状フレーム５９の外周面に、その周方向を４等分した位置に垂直方向に回転する押えローラ６０をそれぞれ設置して、ホッパー３１とベース３４とを一体に連結したときに、回転ディスク３３の上面フランジ部６１（図６参照）をホッパー３１側の各押えローラ６０によって上方から回転自由に押圧支持している。これにより、回転ディスク３３は上部の押えローラ６０と下部の下面支持ローラ５１との上下の両ローラ６０，５１間に支持されて、回転ディスク３３は上下方向に変動のない安定した回転動作が確保される。
【００６２】
次に、ホッパー３１から起立筒体３２へとコインＣを供給するコインＣの供給動作を図１０(Ａ)〜図１０(Ｄ)を参照して説明する。  
ホッパー３１に貯留されているコインＣは自重により降下し、順に該ホッパー３１内の底部で回転する回転ディスク３３の上面へと至る。この上面のコインＣが回転ディスク３３の上面に開口するコイン受入口５２に入ると、コインＣは平面状態のまま降下し、最下層のコインＣが環状通路５３に至る。この環状通路５３に至ったコインＣは、その位置で、図１０(Ａ)に示すように、回転ディスク３３の円弧形送り溝５６に入った状態になる。この円弧形送り溝５６に入ったコインＣは回転ディスク３３の正転に伴い、図１０(Ｂ)に示すように、円弧形送り溝５６に送りガイドされて正転方向(図においては左回転)に回転送りされる。そして、コインＣが回転送りされて、図１０(Ｃ)に示すように、ガイドピンＰ１，Ｐ２に当接すると、この当接動作によりコインＣは両ガイドピンＰ１，Ｐ２の位置で回転ディスク３３の内周面側へと方向変換されながら移動し、コインＣは、図１０(Ｄ)に示すように、回転ディスク３３の内周面供給口５５を通過して、その中心方向の起立筒体３２へと供給される。
【００６３】
次に、コインＣの下払い出し動作を、図１１(Ａ)〜図１１(Ｄ)を参照して説明する。  
ホッパー３１に貯留されているコインＣが回転ディスク３３のコイン受入口５２を通じて環状通路５３に導かれたとき、その導かれた１枚のコインＣは、図１１(Ａ)に示すように、平面状態のまま回転ディスク３３の円弧形送り溝５６に入った状態になる。この円弧形送り溝５６に入ったコインＣは、図１１(Ｂ)に示すように、回転ディスク３３の逆転に伴い円弧形送り溝５６に送りガイドされて逆転方向(図においては右回転)に回転送りされる。そして、コインＣが回転送りされる過程でコインＣが、図１１(Ｃ)に示すように、ガイドピンＰ１，Ｐ２に当接すると、この当接動作によりコインＣは両ガイドピンＰ１，Ｐ２の位置で回転ディスク３３の外周面側に方向変換されながら移動し、図１１(Ｄ)に示すように、環状通路５３の外周面側の一部に開口する外周面払出口５７からコインＣは１枚ずつ外方へと送り出され、同方向に対応する返却口２３を介してスロットマシン１１の前面の下皿２２へと払い出される。
【００６４】
図１０および図１１においては、回転ディスク３３の裏面の環状方向に４等分して一体に形成されている円弧形送り溝５６の動きを明瞭に表すために、凹形状の円弧形送り溝５６以外の羽根形を有する凸形状のガイド部分を、斜線を付けて表している。
【００６５】
また、環状通路５３はコイン１枚分の独立した通路空間であるため、コインＣの表裏両面および左右が環状通路５３にガイドされて１枚ずつ確実に回転送りされる。さらに、コインＣはコイン受入口５２から環状通路５３へと水平状態のまま至る降下動作時においても、コインＣが環状通路５３から内周面供給口５５あるいは外周面払出口５７へと水平方向に移動するコインＣの送り出し時においても、コインＣは終始同じ平面姿勢を維持して導かれるため、コインＣの面方向が変わらず、同じ面の向きを維持させたままで送り出すことができる。このため、コインの送りに際して、コインの面方向を変えずに送ることによりコイン詰りを回避した搬送構造がとれ、信頼性の高い円滑なコインの送り出し動作が得られる。
【００６６】
さらに、第１ガイドピンＰ１と第２ガイドピンＰ２を貫通させた上プレート３９の裏面側には、図１２に示すように、ピンスライド許容バネ６２とその支持板６３とを取り付けて、双方のガイドピンＰ１，Ｐ２を軸方向に進退自在に支持している。これにより、両ガイドピンＰ１，Ｐ２に当接して方向変換されるコインＣの動きを特定方向に確保している。例えば、コインＣがガイドピンＰ１，Ｐ２に当接したときに、ガイドピンＰ１，Ｐ２に過負荷がかかった際には、一方または双方のガイドピンＰ１，Ｐ２が下方向へ逃げるため、コインの詰りを回避し、その後、コインＣが通過すると、ガイドピンＰ１，Ｐ２は元の上動位置に復帰する。
【００６７】
前記コインＣを下皿２２へと払い出す外周面払出口５７の位置には、上プレート３９の上面に一方がコインＣの通過に連動して左右方向に動く下払出用カウントローラ６４を左右一対に突設し、上プレート３９の下面に前記下払出用カウントローラ６４の一方に軸支してコインＣの通過に連動して動く下払出用カウントアーム６５と、その動きを検知する下払出用カウントセンサＳ１およびアーム復帰用のスプリング６６を取り付けている。これにより、コインＣが外周面払出口５７を通過したとき、スプリング６６に付勢されている下払出用カウントアーム６５が往復運動を行い、下払出用カウントセンサＳ１がＯＮ・ＯＦＦすることにより払い出したコインの枚数を計数する。
【００６８】
図１３は起立筒体３２を示し、この起立筒体３２は該筒体の内部空間を、コインＣを押し上げる縦送り空間に用いたものであって、この起立筒体３２に内蔵される螺旋回転体４４と、螺旋回転体４４の上部を覆う回転体カバー６８と、螺旋回転体４４の下部に連結される回転体ギア６９とから構成される。
【００６９】
前記起立筒体３２は上端面を開口し、下端面を閉鎖した長尺の筒体を起立して設け、この筒体の上端部周縁にカバー連結用のフランジ７０を有し、下部周面にはコインを平面状態のまま１枚ずつ受け入れる横長の下開口部７１を開口している。そして、起立筒体３２の底面中心部には、後述する螺旋回転体４４の回転軸の下部を軸支する軸孔７２を縦貫して設け、この軸孔７２の底面周囲には下プレート３８への固定部７３を突設している。
【００７０】
起立筒体３２の内方には、上部の開放端面より螺旋回転体４４を収納し、収納した螺旋回転体４４の上部の開放端面を円形の回転体カバー６８で覆って一体に閉鎖している。そして、この起立筒体３２を、ホッパー３１の内方底部の中心部に開口する中空環状体４８に挿入して垂直に取り付ける。これにより、起立筒体３２をホッパー３１の内部空間に介在させた状態に一体に取り付けている。
【００７１】
前記螺旋回転体４４は、前記起立筒体３２に回転自由に内蔵され、上下方向の回転軸７４のほぼ全長に沿って螺旋状に巻回した螺旋円板７５を形成している。
【００７２】
この螺旋回転体４４の回転軸７４の上軸部は上部の回転体カバー６８の軸孔６８ａに軸支され、下軸部は起立筒体３２の下部の軸孔７２に軸支される。このうち、下軸部は起立筒体３２の底面よりさらに下方に延設され、延設部分に回転体ギア６９を嵌合して一体に連結している。そして、この回転体ギア６９が既述した従動ギア４３ａの１つに噛合して、モータＭからの回転力が伝達されて螺旋回転体４４をコインＣの払い出しに適した一定速度に回転する。
【００７３】
そして、上下方向に一定間隔を隔てて螺旋状に巻回した螺旋円板７５によって、上下方向には一定間隔の螺旋送り空間７６を形成し、この螺旋送り空間７６にコインＣを平面状態に介在させてコインＣを上方に向けて縦送りするものである。この場合、螺旋送り空間７６の最下部を起立筒体３２の下部に開口する下開口部７１に対応させている。このため、下開口部７１へと供給されたコインＣは１枚ずつ螺旋送り空間７６へと供給される。そして、最下部の螺旋送り空間７６に供給されたコインＣは螺旋回転体４４の回転により起立筒体３２の下部から上部へと搬送される。この螺旋回転体４４の１回転毎にコインＣは螺旋送り空間の高さ分だけ上動し、この回転動作を連続的に繰り返せば、コインＣは下部から上部へと自然に押し上げることができるコイン縦送り機構としての役割を果している。
【００７４】
前記螺旋回転体４４を回転させてコインＣを押し上げるとき、図１４に示すように、起立筒体３２の内周面の上下方向にコイン縦送り用の回り止め部７７を形成している。この回り止め部７７は起立筒体３２の内周面上下方向に平行する一対の係止リブ７７ａ、７７ｂを形成し、これらの係止リブ７７ａ、７７ｂ間に螺旋送り空間７６に介在するコインＣの外周面の一部が嵌まり込んだ状態に係止されてコインＣの回転方向の動きを係止することにより、コインＣは回転方向の定位置に留まり、コインＣは平面状態のまま上方に搬送される。
【００７５】
また、螺旋回転体４４の最上部の螺旋送り空間７６の終端部にはコインＣを外周面側に送り出す羽根状の上払出片６７を形成している。このため、螺旋送り空間７６の最上部に搬送されたコインＣは上払出片６７により外方に押し出されて、後述する上開口部７８より払い出される。
【００７６】
前記回転体カバー６８は起立筒体３２に対応する大きさの筒状体を有し、起立筒体３２の上端縁部に形成されているフランジ７０に固定して、起立筒体３２の上面開口部を閉鎖している。さらに、この回転体カバー６８は係止リブ７７ａ，７７ｂと対応する外周面の上部位置にコイン払い出し用に横長に開口した上開口部７８を設けている。この上開口部７８へは螺旋回転体４４の回転により係止リブ７７ａ，７７ｂに沿って垂直に搬送されたコインＣを該上開口部７８より１枚ずつ外方に払い出すものである。
【００７７】
前記上開口部７８の位置には、図１５および図１６にも示すように、フランジ７０に、一方がコインＣの通過に連動して左右方向に動く上払出用カウントローラ７９を左右一対に突設し、さらにフランジ７０に上払出用カウントアーム８０と、その動きを検知する上払出用カウントセンサＳ２およびアーム復帰用のスプリング８１を取り付けている。これにより、コインＣが上開口部７８を通過したとき、スプリング８１に付勢されている上払出用カウントアーム８０が往復運動を行い、上払出用カウントセンサＳ２がＯＮ・ＯＦＦすることにより払い出したコインの枚数を計数する。
【００７８】
次に、コインＣの上払い出し動作を、図１７(Ａ)〜図１７(Ｄ)を参照して説明する。  
螺旋回転体４４の回転に伴い起立筒体３２の下部に開口する下開口部７１にコインＣが１枚供給されると、その供給されたコインＣは起立筒体３２の最下部の螺旋送り空間７６に入り、コインＣは回転送りされる途中で係止リブ７７ａ，７７ｂに係止され、その係止された平面状態のまま螺旋回転体４４の回転動作により押し上げられる(図１４参照)。そして、図１７(Ａ)に示すように、コインＣが起立筒体３２の上部に押し上げられると、コインＣは、図１７(Ｂ)に示すように、螺旋回転体４４の上部に形成された上払出片６７の回転送り力を受ける。この回転送り力を受けたコインＣは、図１７(Ｃ)に示すように、螺旋回転体４４の回転に伴い上払出片６７により上開口部７８から外向きに押し出され、最終的にコインＣは、図１１(Ｄ)に示すように、上開口部７８から外方へと払い出される。この払い出されたコインＣは、同方向に対応する払出口２０を介してスロットマシン１１の前面の上皿１９へと払い出される。
【００７９】
このようにして、コインＣが１枚払い出される毎に上払出用カウントアーム８０が動いてコインＣが払い出されたことを、上払出用カウントセンサＳ２が検知する。
【００８０】
モータＭの駆動に基づいて回転ディスク３３と螺旋回転体４４とを正転させてコインの払い出し動作を行うが、その後の払い出し停止時にモータＭを停止させたときに、螺旋回転体４４は慣性作用により正規の停止位置から外れてしまうことがある。このため、図１８に示すように、螺旋回転体４４の下部に位置出しディスク８２を取付け、この位置出しディスク８２がスプリング８３により螺旋回転体４４を正規の停止位置に戻す構造に設けている。
【００８１】
図１９はコイン払出装置２５の制御回路ブロック図を示し、スロットマシン１１の全体の制御を行う主基板１９１に接続された制御基板１９２の制御に基づいてコイン払出装置２５を制御する。この制御基板１９２の制御部はモータＭを正転・逆転・停止制御し、その制御情報として例えばホッパー３１に備えたコイン有無検知センサＳの検知信号によってホッパー３１内の貯留コインの有無を確認して、コインＣを払い出し可能であるか否かを確認する。さらに、上払出用カウントセンサＳ２の検知信号によって上部から払い出したコインの払い出し枚数を計数し、下払出用カウントセンサＳ１の検知信号によって下部から払い出したコインの払い出し枚数を計数する。
【００８２】
さらに、上皿満杯検知センサＳ３の検知信号によって上皿１９の満杯状態を確認でき、下皿満杯検知センサＳ４の検知信号によって下皿２２の満杯状態を確認できる。この満杯状態を確認したときは、コインＣを払い出す位置を上皿１９と下皿２２とのいずれかに切り換えてコインＣを払い出すように設定している。
【００８３】
例えば、コイン収納容量が小さい上皿１９とコイン収納容量が大きい下皿２２のうち、常時上皿１９にコインＣを払い出すようにしておき、この上皿１９に払い出したコインＣが収納限度枚数(満杯)に至ったことを、上皿満杯検知センサＳ３が検知して制御基板１９２の制御部の図示しない判定部が満杯と判定すれば、回転ディスク３３をそれまでの回転方向とは逆方向の回転方向に切り換えて、上皿１９への払い出しを停止し、下皿２２への払い出しに切り換える。従って、通常は上皿１９にコインＣを払い出させておいて、上皿１９が一杯になれば、払い出し方向を切り換えて下皿２２にコインＣを払い出させて、上皿１９のコインＣが空にならないように上皿１９のコイン貯留量を適切に維持管理することができる。
【００８４】
このように構成されたコイン払出装置２５の払出処理動作を図２０のフローチャートを参照して次に説明する。  
今、スロットマシン１１を遊技している遊技中にコインを払い出す信号が入力されると(ステップｎ１)、上皿満杯検知センサＳ３と下皿満杯検知センサＳ４にて上皿１９と下皿２２が共に満杯でないことを確認し、満杯でなければ、上皿１９へのコインＣの払い出し動作を開始する(ステップｎ２)。
【００８５】
この上皿１９へのコイン払い出し動作は、図１０(Ａ)〜図１０(Ｄ)に示したように、先ず、モータＭを正転させて回転ディスク３３および螺旋回転体４４を正転させる。このとき、ホッパー３１の底部に貯留されているコインＣは回転ディスク３３のコイン受入口５２に入った後、その最下層のコインＣが回転ディスク３３の内周面供給口５５および起立筒体３２の下開口部７１を介して起立筒体３２の内部へと供給される(ステップｎ３)。
【００８６】
起立筒体３２の内部では螺旋回転体４４の螺旋送り作用を受けてコインＣは１枚ずつ上方に搬送される。具体的には、回り止め部７７によって回転方向の動きが規制されたコインＣの下面に接触する螺旋円板７５の回転接触位置が回転に伴って高位置になることによる押し上げ作用を受けてコインＣは垂直に搬送される。この起立筒体３２の上部では、図１７(Ａ)〜図１７(Ｄ)に示したように、上払出片６７の水平方向の押し出し作用を受けてコインＣは上開口部７８より外方に払い出される。この払い出されたコインＣはその前方に対応する払出口２０を通ってスロットマシン１１の前面の上皿１９へと払い出される。このとき、払い出されたコインの払い出し枚数が上払出用カウントセンサＳ２により計数される(ステップｎ４)。
【００８７】
そして、定められた払出設定数を上払出用カウントセンサＳ２が計数すると、定められた枚数のコインＣを払い出したことになるためモータＭの正転を停止して上払い出し動作を終了する(ステップｎ５)。
【００８８】
一方、コインＣの払い出し時に、上皿満杯検知センサＳ３から上皿１９が満杯であるという信号を受けとったときは、上皿１９への払い出し動作を停止し、下皿２２への払い出し動作に切り換える。従って、上皿１９が満杯になっても払い出し方向を切り換えればよく、払い出し動作を中止するものではない。この上下の払い出し方向の切り換えに際しては、モータＭを逆転させるだけでよく、モータＭを逆転させると、これに連動して回転ディスク３３は逆転する。このとき、螺旋回転体４４は上払い出し専用に用いられるが、下払い出しには用いられない。これは螺旋回転体４４を逆転させると詰るため逆転規制している(ステップｎ６)。
【００８９】
モータＭを逆転させると、図１１(Ａ)〜図１１(Ｄ)に示したように、回転ディスク３３が逆転する。このとき、ホッパー３１の底部に貯留されているコインＣは回転ディスク３３のコイン受入口５２に入った後、その最下層のコインＣが回転ディスク３３の環状通路５３において、該回転ディスク３３の円弧形送り溝５６により水平状態のまま外方に押し出され、起立筒体３２を通さずに外周面払出口５７から返却口２３を介してスロットマシン１１の前面の下皿２２へと直接払い出される。このとき、払い出されたコインの払い出し枚数が下払出用カウントセンサＳ１により計数される(ステップｎ７)。
【００９０】
そして、定められた払出設定数を下払出用カウントセンサＳ１が計数すると、モータＭの逆転を停止して下払い出し動作を終了する。その後、引き続きコインＣを払い出す際に、上皿満杯検知センサＳ３によって上皿１９のコイン貯留状態を確認し、上皿１９への払い出しが可能になると、再びステップｎ１以降の払い出し処理を実行して、上皿１９への払い出し動作に移る。
【００９１】
今回、実施例では、上皿が満杯になった場合、下皿にコインを払い出すことを説明したが、逆に下皿が満杯になった場合、上皿にコインを払い出してもよい。
【００９２】
上述のように、スロットマシンのホッパーの内部空間にコイン払出装置をコンパクトに組み込んで該ホッパーの内部空間を有効利用できるため小型化を維持でき、さらにコイン払出装置からスロットマシンの前面の上皿あるいは下皿へと払い出し方向を切り換えて払い出しに適した位置を特定してコインを払い出すことができる。このため、遊技者による遊技利用性能が確実に向上する。
【００９３】
この発明の構成と、上述の一実施例の構成との対応において、
この発明のコイン供給機構は、実施例の回転ディスク３３に対応し、
以下同様に、
コイン払出機構およびコイン縦送り機構は、回転ディスク３３および起立筒体３２とその螺旋回転体４４に対応し、
計数手段は、下払出用カウントセンサＳ１と上払出用カウントセンサＳ２に対応し、
判定手段および制御手段は、制御基板１９２の制御部に対応し、
遊技機は、スロットマシン１１に対応するも、この発明は上述の一実施例の構成に限定されるものではなく、請求項に記載される技術思想に基づいて応用することができる。
【図面の簡単な説明】
【００９４】
【図１】スロットマシンの外観斜視図。
【図２】スロットマシンの内部構造を示す斜視図。
【図３】コイン払出装置を示す外観斜視図。
【図４】コイン払出装置のホッパーから起立筒体を取外して示す斜視図。
【図５】コイン払出装置の要部分解斜視図。
【図６】回転ディスクとベースとの分解斜視図。
【図７】下プレートの上面側を示す斜視図。
【図８】回転ディスクの裏面側を示す斜視図。
【図９】ホッパーの底面側を示す斜視図。
【図１０】回転ディスクのコイン供給動作を示す説明図。
【図１１】回転ディスクのコイン下払い出し動作を示す説明図。
【図１２】下払出用カウントセンサを備えた上プレートの裏面側を示す斜視図。
【図１３】起立筒体の分解斜視図。
【図１４】コインの押し上げ状態を示すコイン払出装置の斜視図。
【図１５】上開口部を前面側に有するコイン払出装置を示す斜視図。
【図１６】上払出用カウントセンサの配置状態を示すコイン払出装置の斜視図。
【図１７】起立筒体の上払い出し動作を示す説明図。
【図１８】コイン払出装置の底面側から見た斜視図。
【図１９】コイン払出装置の制御回路ブロック図。
【図２０】コイン払出装置の払出処理動作を示すフローチャート。
【符号の説明】
【００９５】
１１…スロットマシン
１９…上皿
２２…下皿
２５…コイン払出装置
３１…ホッパー
３２…起立筒体
３３…回転ディスク
４０…駆動機構
４４…螺旋回転体
５３…環状通路
５５…内周面供給口
５７…外周面払出口
７１…下開口部
７７…回り止め部
７８…上開口部
１９２…制御基板
Ｓ１…下払出用カウントセンサ
Ｓ２…上払出用カウントセンサ
【図１】
2005319008.tif 000003
【図２】
2005319008.tif 000004
【図３】
2005319008.tif 000005
【図４】
2005319008.tif 000006
【図５】
2005319008.tif 000007
【図６】
2005319008.tif 000008
【図７】
2005319008.tif 000009
【図８】
2005319008.tif 000010
【図９】
2005319008.tif 000011
【図１０】
2005319008.tif 000012
【図１１】
2005319008.tif 000013
【図１２】
2005319008.tif 000014
【図１３】
2005319008.tif 000015
【図１４】
2005319008.tif 000016
【図１５】
2005319008.tif 000017
【図１６】
2005319008.tif 000018
【図１７】
2005319008.tif 000019
【図１８】
2005319008.tif 000020
【図１９】
2005319008.tif 000021
【図２０】
2005319008.tif 000022